(57)【要約】【課題】記録部と再生部が物理的に分離した記録再生システムにおいて、多量のコンテンツを、著作権保護を行いながら受け渡しする際の利便性を改善する。【解決手段】著作権保護機能を持つ記録媒体１２１を用いて、コンテンツを暗号化するコンテンツ鍵を記録部１０１から物理的に分離している再生部１１１に受け渡しする。再生部１１１は、受け渡されたコンテンツ鍵を用いることができるので、再生時には著作権保護機能を有する記録媒体１２１を常時使用する必要がなくなる。【選択図】図１
2006229277.tif 000002
【特許請求の範囲】
【請求項１】
コンテンツ鍵を用いてデジタル形式のコンテンツを暗号化記録する記録部と、コンテンツ鍵を用いて暗号化されたコンテンツを復号化し再生する再生部と、コンテンツを暗号化するためのコンテンツ鍵を記録する第１の記録媒体と、暗号化されたコンテンツを記録する第２の記録媒体とからなる記録再生システムであって、
前記記録部は、コンテンツを暗号化するコンテンツ鍵を生成するコンテンツ暗号鍵生成手段と、前記第１の記録媒体の正当性を認証するとともに、前記第１の記録媒体に前記コンテンツ鍵を書き込む第１の認証手段と、前記コンテンツ鍵を用いてコンテンツを暗号化するとともに、前記第２の記録媒体に暗号化後のコンテンツを記録するコンテンツ暗号化手段とを有し、
前記再生部は、前記第１の記録媒体の正当性を認証するとともに、前記第１の記録媒体に記録されたコンテンツ鍵を読み出す第２の認証手段と、前記コンテンツ鍵を記憶するコンテンツ鍵記憶手段と、前記第２の記録媒体から暗号化されたコンテンツを読み出し、前記コンテンツ鍵記憶手段に記憶されたコンテンツ鍵を用いてコンテンツを復号化するコンテンツ復号化手段とを有し、
前記第１の記録媒体は、前記記録部および前記再生部の正当性を認証するとともに、前記再生部および前記記録部との間で前記コンテンツ鍵の読み書きを行う第３の認証手段と、前記コンテンツ鍵を記録する記録手段とを有することを特徴とする記録再生システム。
【請求項２】
コンテンツ鍵として、前記コンテンツ鍵生成手段にて発生させたランダム値を使用することを特徴とする請求項１に記載の記録再生システム。
【請求項３】
前記記録部から前記第１の記録媒体へのコンテンツ鍵の書き込み回数をあらかじめ決められた所定回数に制限することを特徴とする請求項１に記載の記録再生システム。
【請求項４】
前記再生部は、前記第１の記録媒体からコンテンツ鍵を読み出した後、前記第１の記録媒体から前記コンテンツ鍵を消去することを特徴とする請求項１に記載の記録再生システム。
【請求項５】
前記再生部は、前記第１の記録媒体から読み出したコンテンツ鍵を、再び第１の記録媒体に書き戻し、前記再生部に保管していた前記コンテンツ鍵を消去することを特徴とする請求項１に記載の記録再生システム。
【請求項６】
前記記録部は、前記第１の記録媒体に記録されているコンテンツ鍵を消去した際は、前記第１の記録媒体への書き込み回数カウントを消去したコンテンツ鍵の個数分減算することを特徴とする請求項３に記載の記録再生システム。
【請求項７】
前記第２の記録媒体は、光ディスク、光磁気ディスク、ハードディスクまたは半導体メモリの何れかであることを特徴とする請求項１に記載の記録再生システム。
【請求項８】
前記第１の記録媒体と前記第２の記録媒体は、１つの媒体として構成されていることを特徴とする請求項１に記載の記録再生システム。
【請求項９】
前記第２の記録媒体に記録した暗号化後のコンテンツを、通信手段を用いて前記記録部から前記再生部に伝送することを特徴とする請求項１に記載の記録再生システム。
【請求項１０】
前記再生部は第３の記録媒体を持ち、前記第２の記録媒体に記録された暗号化されたコンテンツを複製して記録し、再生時には第３の記録媒体から再生したコンテンツを復号化することを特徴とする請求項１に記載の記録再生システム。
【請求項１１】
コンテンツ鍵を用いてデジタル形式のコンテンツを暗号化記録する記録部と、コンテンツ鍵を用いて暗号化されたコンテンツを復号化し再生する再生部と、コンテンツを暗号化するためのコンテンツ鍵を記録する第１の記録媒体と、暗号化されたコンテンツを記録する第２の記録媒体からなる記録再生システムであって、
前記再生部は、コンテンツを暗号化するコンテンツ鍵を生成し、生成したコンテンツ鍵を記憶するコンテンツ鍵生成記憶手段と、前記第１の記録媒体の正当性を認証するとともに、前記第１の記録媒体に前記コンテンツ鍵を書き込む第１の認証手段と、前記第２の記録媒体から暗号化されたコンテンツを読み出し、前記コンテンツ鍵を用いてコンテンツを復号化するコンテンツ復号化手段とを有し、
前記記録部は、前記第１の記録媒体の正当性を認証するとともに、前記第１の記録媒体に記録されたコンテンツ鍵を読み出す第２の認証手段と、前記コンテンツ鍵を用いてコンテンツを暗号化するとともに、前記第２の記録媒体に暗号化後のコンテンツを記録するコンテンツ暗号化手段とを有し、
前記第１の記録媒体は、前記記録部および前記再生部の正当性を認証するとともに、前記再生部および前記記録部との間で前記コンテンツ鍵の読み書きを行う第３の認証手段と、前記コンテンツ鍵を記録する記録手段とを有することを特徴とする記録再生システム。
【請求項１２】
コンテンツ鍵として、前記再生部のＩＤを使用することを特徴とする請求項１１に記載の記録再生システム。
【請求項１３】
コンテンツ鍵として、前記コンテンツ鍵生成記憶手段にて発生させたランダム値を使用することを特徴とする請求項１１に記載の記録再生システム。
【請求項１４】
前記再生部から前記第１の記録媒体へのコンテンツ鍵の書き込み回数をあらかじめ決められた所定回数に制限することを特徴とする請求項１１に記載の記録再生システム。
【請求項１５】
前記記録部は、前記第１の記録媒体からコンテンツ鍵を読み出した後、前記第１の記録媒体から前記コンテンツ鍵を消去することを特徴とする請求項１１に記載の記録再生システム。
【請求項１６】
前記記録部は、前記第１の記録媒体から読み出したコンテンツ鍵を、再び前記第１の記録媒体に書き戻し、記録部に保管していた前記コンテンツ鍵を消去することを特徴とする請求項１１に記載の記録再生システム。
【請求項１７】
前記再生部は、前記第１の記録媒体に記録されているコンテンツ鍵を消去した際は、前記第１の記録媒体への書き込み回数カウントを消去したコンテンツ鍵の個数分減算することを特徴とする請求項１４に記載の記録再生システム。
【請求項１８】
前記記録部は、前記第１の記録媒体から読み出したコンテンツ鍵を記憶するコンテンツ鍵記憶手段を持つことを特徴とする請求項１１に記載の記録再生システム。
【請求項１９】
前記第２の記録媒体は、光ディスク、光磁気ディスク、ハードディスク、半導体メモリの何れかであることを特徴とする請求項１１に記載の記録再生システム。
【請求項２０】
前記第１の記録媒体と前記第２の記録媒体は、１つの媒体として構成されていることを特徴とする請求項１１に記載の記録再生システム。
【請求項２１】
前記第２の記録媒体に記録した暗号化後のコンテンツを、通信手段を用いて前記記録部から前記再生部に伝送することを特徴とする請求項１１に記載の記録再生システム。
【請求項２２】
前記再生部は第３の記録媒体を持ち、前記第２の記録媒体に記録された暗号化されたコンテンツを複製して記録し、再生時には前記第３の記録媒体から再生したコンテンツを復号化することを特徴とする請求項１１に記載の記録再生システム。
【請求項２３】
コンテンツ鍵を用いてデジタル形式のコンテンツを暗号化記録する記録部と、コンテンツ鍵を用いて暗号化されたコンテンツを復号化し再生する再生部と、コンテンツ鍵を暗号化するための固有鍵を記録する第１の記録媒体と、暗号化されたコンテンツおよび暗号化されたコンテンツ鍵を記録する第２の記録媒体からなる記録再生システムであって、
前記再生部は、再生部固有の固有鍵を生成し、生成した固有鍵を記憶する固有鍵生成記憶手段と、前記第１の記録媒体の正当性を認証するとともに、前記第１の記録媒体に前記固有鍵を書き込む第１の認証手段と、前記第２の記憶媒体から暗号化されたコンテンツ鍵を読み出し、前記固有鍵を用いてコンテンツ鍵を復号化するコンテンツ鍵復号化手段と、前記第２の記録媒体から暗号化されたコンテンツを読み出し、前記コンテンツ鍵を用いてコンテンツを復号化するコンテンツ復号化手段とを有し、
前記記録部は、コンテンツを暗号化するコンテンツ鍵を生成するコンテンツ鍵生成手段と、前記コンテンツ鍵を用いてコンテンツを暗号化し、前記第２の記録媒体に暗号化後のコンテンツを記録するコンテンツ暗号化手段と、前記第１の記録媒体の正当性を認証するとともに、前記第１の記録媒体に記録された固有鍵を読み出す第２の認証手段と、前記固有鍵を用いて前記コンテンツ鍵を暗号化し、前記第２の記録媒体に暗号化後のコンテンツ鍵を記録するコンテンツ鍵暗号化手段とを有し、
前記第１の記録媒体は、前記記録部および前記再生部の正当性を認証するとともに、前記再生部および前記記録部との間で前記固有鍵の読み書きを行う第３の認証手段と、前記固有鍵を記録する記録手段とを有することを特徴とする記録再生システム。
【請求項２４】
前記固有鍵として、前記再生部のＩＤを使用することを特徴とする請求項２３に記載の記録再生システム。
【請求項２５】
前記固有鍵として、前記固有鍵生成記憶手段にて発生させたランダム値を使用することを特徴とする請求項２３に記載の記録再生システム。
【請求項２６】
前記再生部から前記第１の記録媒体への固定鍵の書き込み回数をあらかじめ決められた所定回数に制限することを特徴とする請求項２３に記載の記録再生システム。
【請求項２７】
前記記録部は、前記第１の記録媒体から固定鍵を読み出した後、前記第１の記録媒体から前記固定鍵を消去することを特徴とする請求項２３に記載の記録再生システム。
【請求項２８】
前記記録部は、前記第１の記録媒体から読み出した固有鍵を、再び前記第１の記録媒体に書き戻し、前記記録部に保管していた前記固有鍵を消去することを特徴とする請求項２３に記載の記録再生システム。
【請求項２９】
前記再生部は、前記第１の記録媒体に記録されている固有鍵を消去した際は、前記第１の記録媒体への書き込み回数カウントを消去した固有鍵の個数分減算することを特徴とする請求項２６に記載の記録再生システム。
【請求項３０】
前記記録部は、第１の記録媒体から読み出した固有鍵を記憶する固有鍵記憶手段を持つことを特徴とする請求項２３に記載の記録再生システム。
【請求項３１】
前記第２の記録媒体は、光ディスク、光磁気ディスク、ハードディスク、半導体メモリの何れかであることを特徴とする請求項２３に記載の記録再生システム。
【請求項３２】
前記第１の記録媒体と前記第２の記録媒体は、１つの媒体として構成されていることを特徴とする請求項２３に記載の記録再生システム。
【請求項３３】
前記第２の記録媒体に記録した暗号化後のコンテンツを、通信手段を用いて前記記録部から前記再生部に伝送することを特徴とする請求項２３に記載の記録再生システム。
【請求項３４】
前記第２の記録媒体に記録する暗号化されたコンテンツ鍵を、対応する暗号化されたコンテンツファイルに組み込まれるように記録することを特徴とする請求項２３に記載の記録再生システム。
【請求項３５】
複数の再生部に対応する複数の固有鍵でコンテンツ鍵を暗号化し、前記暗号化された複数のコンテンツ鍵を第２の記録媒体に記録することを特徴とする請求項２３に記載の記録再生システム。
【請求項３６】
前記再生部は第３の記録媒体を持ち、第２の記録媒体に記録された暗号化されたコンテンツおよび暗号化されたコンテンツ鍵を複製して記録し、再生時には第３の記録媒体から再生したコンテンツおよびコンテンツ鍵を復号化して再生することを特徴とする請求項２３に記載の記録再生システム。
【発明の詳細な説明】
【技術分野】
【０００１】
本発明は、映像や音声などの情報信号に対して暗号化を施し、著作権保護を行う記録再生システムに関するものである。
【背景技術】
【０００２】
映像や音声のコンテンツのデジタル化が進み、また、コンピュータ技術の発展でデジタルコンテンツを簡単に扱えるようになったため、コンテンツの品質を全く落とすことなく複製することが簡単に出来るようになった。このように複製が簡単に行えることはユーザの使い勝手という点においてはメリットが大きいが、著作権者側にコンテンツに対する正当な対価を払わずともコンテンツの流通を簡単に行えることから、著作権保護の観点から近年大きな問題となっている。
【０００３】
このような背景から、コンテンツを複製する際に暗号化を行い複製したコンテンツをそれ以上複製しても再生できないようにする技術が開発され、ＳＤメモリカードのような著作権保護機能を有する商品や応用機器として実用化されている。
【０００４】
現在これらの著作権保護機能を有する記録媒体は、容量に対する単価が高く、大量にコンテンツを保存するにはコストがかかるという欠点がある。
【０００５】
こういったことから、近年では大容量のハードディスクに暗号化して記録するポータブルプレーヤが普及し始めている。これらのポータブルプレーヤは、コンテンツを供給する機器と直接接続し、相互認証することでコンテンツを暗号化記録する。
【０００６】
一方、カーＡＶ機器ように可搬性の低い機器では、必ずしもコンテンツを供給する機器と接続出来るとは限らない。このような機器でコンテンツを再生するためには、前述の著作権保護機能を有する記録媒体が必要になる。
【０００７】
前記のように、著作権保護機能を有する記録媒体は、容量に対する単価が高いため、著作権保護機能を持つ記録媒体と、容量単価の低い記録媒体を組み合わせて記録再生を行うシステムが提案されている（例えば、特許文献１参照）。
【０００８】
以下、従来の著作権保護機能を持つ記録媒体と、著作権保護機能を持たない記録媒体とを組み合わせて記録再生を行う記録再生システムの構成及び動作について、図４を用いて説明する。
【０００９】
図４は、従来の記録再生システムの構成を示すブロック図である。同図において、記録媒体１２１は著作権保護機能を持つ記録媒体であり、記録媒体１３１は著作権保護機能を持たない記録媒体である。記録部４０１は、コンテンツ鍵生成部１０４で生成したコンテンツ鍵を用い、コンテンツ暗号化部１０３でコンテンツを暗号化し、記録媒体１３１に記録する。コンテンツ鍵は、記録部４０１の認証部１０２と、記録媒体１２１の認証部１２２の間で、互いに正当な機器であることを相互認証によって確認し、確認後、前記コンテンツ鍵を記録部１２３に記録する。
【００１０】
一方、再生部４１１では、再生部４１１の認証部１１２と、記録媒体１２１の認証部１２２の間で、互いに正当な機器であることを相互認証によって確認し、確認後、記録部１２３に記録されているコンテンツ鍵を読み出す。このコンテンツ鍵を用い、記録媒体１３１から読み出した暗号化されたコンテンツを読み込み、コンテンツ復号化部１１４で復号化し、コンテンツを出力する。
【特許文献１】特開２００２−３６８７３２号公報
【発明の開示】
【発明が解決しようとする課題】
【００１１】
前記の記録再生システムでは、必ず著作権保護機能を持つ記録媒体１２１と、著作権保護機能を持たない記録媒体１３１を組み合わせて使用する必要がある。前記の組み合わせが複数存在する場合など、組み合わせを間違えると再生出来なくなる。また、著作権保護機能を持つ記録媒体を忘れたり紛失したりすると再生出来なくなってしまう。
【００１２】
本発明は、前記従来の使用者の利便性の低下を考慮し、可搬性の低い機器に対して、著作権保護を行いつつ、使用者の利便性のよい記録再生システムを提供することを目的とする。
【課題を解決するための手段】
【００１３】
上記の目的を達成するため、本発明の第１の発明の記録再生システムは、コンテンツ鍵を用いてデジタル形式のコンテンツを暗号化記録する記録部と、コンテンツ鍵を用いて暗号化されたコンテンツを復号化し再生する再生部と、コンテンツを暗号化するためのコンテンツ鍵を記録する第１の記録媒体と、暗号化されたコンテンツを記録する第２の記録媒体からなる記録再生システムであって、前記記録部は、コンテンツを暗号化するコンテンツ鍵を生成するコンテンツ暗号鍵生成手段と、前記第１の記録媒体の正当性を認証するとともに、前記第１の記録媒体に前記コンテンツ鍵を書き込む第１の認証手段と、前記コンテンツ鍵を用いてコンテンツを暗号化するとともに、前記第２の記録媒体に暗号化後のコンテンツを記録するコンテンツ暗号化手段とを有し、前記再生部は、前記第１の記録媒体の正当性を認証するとともに、前記第１の記録媒体に記録されたコンテンツ鍵を読み出す第２の認証手段と、前記コンテンツ鍵を記憶するコンテンツ鍵記憶手段と、前記第２の記録媒体から暗号化されたコンテンツを読み出し、前記コンテンツ鍵記憶手段に記憶されたコンテンツ鍵を用いてコンテンツを復号化するコンテンツ復号化手段とを有し、前記第１の記録媒体は、前記記録部および前記再生部の正当性を認証するとともに、前記再生部および前記記録部との間で前記コンテンツ鍵の読み書きを行う第３の認証手段と、前記コンテンツ鍵を記録する記録手段とを有することを特徴とするものである。
【００１４】
また本発明の第２の発明の記録再生システムは、第１の発明において、コンテンツ鍵として、コンテンツ鍵生成手段にて発生させたランダム値を使用することを特徴とするものである。
【００１５】
また本発明の第３の発明の記録再生システムは、第１の発明において、記録部から第１の記録媒体へのコンテンツ鍵の書き込み回数をあらかじめ決められた所定回数に制限することを特徴とするものである。
【００１６】
また本発明の第４の発明の記録再生システムは、第１の発明において、再生部は、第１の記録媒体からコンテンツ鍵を読み出した後、第１の記録媒体から前記コンテンツ鍵を消去することを特徴とするものである。
【００１７】
また本発明の第５の発明の記録再生システムは、第１の発明において、再生部は、第１の記録媒体から読み出したコンテンツ鍵を、再び第１の記録媒体に書き戻し、再生部に保管していた前記コンテンツ鍵を消去することを特徴とするものである。
【００１８】
また本発明の第６の発明の記録再生システムは、第３の発明において、記録部は、第１の記録媒体に記録されているコンテンツ鍵を消去した際は、第１の記録媒体への書き込み回数カウントを消去したコンテンツ鍵の個数分減算することを特徴とするものである。
【００１９】
また本発明の第７の発明の記録再生システムは、第１の発明において、第２の記録媒体は、光ディスク、光磁気ディスク、ハードディスク、半導体メモリの何れかであることを特徴とするものである。
【００２０】
また本発明の第８の発明の記録再生システムは、第１の発明において、第１の記録媒体と第２の記録媒体は、１つの媒体として構成されていることを特徴とするものである。
【００２１】
また本発明の第９の発明の記録再生システムは、第１の発明において、第２の記録媒体に記録した暗号化後のコンテンツを、通信手段を用いて記録部から再生部に伝送することを特徴とするものである。
【００２２】
また本発明の第１０の発明の記録再生システムは、第１の発明において、再生部は第３の記録媒体を持ち、第２の記録媒体に記録された暗号化されたコンテンツを複製して記録し、再生時には第３の記録媒体から再生したコンテンツを復号化することを特徴とするものである。
【００２３】
また本発明の第１１の発明の記録再生システムは、コンテンツ鍵を用いてデジタル形式のコンテンツを暗号化記録する記録部と、コンテンツ鍵を用いて暗号化されたコンテンツを復号化し再生する再生部と、コンテンツを暗号化するためのコンテンツ鍵を記録する第１の記録媒体と、暗号化されたコンテンツを記録する第２の記録媒体からなる記録再生システムであって、前記再生部は、コンテンツを暗号化するコンテンツ鍵を生成し、生成したコンテンツ鍵を記憶するコンテンツ鍵生成記憶手段と、前記第１の記録媒体の正当性を認証するとともに、前記第１の記録媒体に前記コンテンツ鍵を書き込む第１の認証手段と、前記第２の記録媒体から暗号化されたコンテンツを読み出し、前記コンテンツ鍵を用いてコンテンツを復号化するコンテンツ復号化手段とを有し、前記記録部は、前記第１の記録媒体の正当性を認証するとともに、前記第１の記録媒体に記録されたコンテンツ鍵を読み出す第２の認証手段と、前記コンテンツ鍵を用いてコンテンツを暗号化するとともに、前記第２の記録媒体に暗号化後のコンテンツを記録するコンテンツ暗号化手段とを有し、前記第１の記録媒体は、前記記録部および前記再生部の正当性を認証するとともに、前記再生部および前記記録部との間で前記コンテンツ鍵の読み書きを行う第３の認証手段と、前記コンテンツ鍵を記録する記録手段とを有することを特徴とするものである。
【００２４】
また本発明の第１２の発明の記録再生システムは、第１１の発明において、コンテンツ鍵として、再生部のＩＤを使用することを特徴とするものである。
【００２５】
また本発明の第１３の発明の記録再生システムは、第１１の発明において、コンテンツ鍵として、コンテンツ鍵生成記憶手段にて発生させたランダム値を使用することを特徴とするものである。
【００２６】
また本発明の第１４の発明の記録再生システムは、第１１の発明において、再生部から第１の記録媒体へのコンテンツ鍵の書き込み回数をあらかじめ決められた所定回数に制限することを特徴とするものである。
【００２７】
また本発明の第１５の発明の記録再生システムは、第１１の発明において、記録部は、第１の記録媒体からコンテンツ鍵を読み出した後、第１の記録媒体から前記コンテンツ鍵を消去することを特徴とするものである。
【００２８】
また本発明の第１６の発明の記録再生システムは、第１１の発明において、記録部は、第１の記録媒体から読み出したコンテンツ鍵を、再び第１の記録媒体に書き戻し、記録部に保管していた前記コンテンツ鍵を消去することを特徴とするものである。
【００２９】
また本発明の第１７の発明の記録再生システムは、第１４の発明において、再生部は、第１の記録媒体に記録されているコンテンツ鍵を消去した際は、第１の記録媒体への書き込み回数カウントを消去したコンテンツ鍵の個数分減算することを特徴とするものである。
【００３０】
また本発明の第１８の発明の記録再生システムは、第１１の発明において、記録部は、第１の記録媒体から読み出したコンテンツ鍵を記憶するコンテンツ鍵記憶手段を持つことを特徴とするものである。
【００３１】
また本発明の第１９の発明の記録再生システムは、第１１の発明において、第２の記録媒体は、光ディスク、光磁気ディスク、ハードディスク、半導体メモリの何れかであることを特徴とするものである。
【００３２】
また本発明の第２０の発明の記録再生システムは、第１１の発明において、第１の記録媒体と第２の記録媒体は、１つの媒体として構成されていることを特徴とするものである。
【００３３】
また本発明の第２１の発明の記録再生システムは、第１１の発明において、第２の記録媒体に記録した暗号化後のコンテンツを、通信手段を用いて記録部から再生部に伝送することを特徴とするものである。
【００３４】
また本発明の第２２の発明の記録再生システムは、第１１の発明において、再生部は第３の記録媒体を持ち、第２の記録媒体に記録された暗号化されたコンテンツを複製して記録し、再生時には第３の記録媒体から再生したコンテンツを復号化することを特徴とするものである。
【００３５】
また本発明の第２３の発明の記録再生システムは、コンテンツ鍵を用いてデジタル形式のコンテンツを暗号化記録する記録部と、コンテンツ鍵を用いて暗号化されたコンテンツを復号化し再生する再生部と、コンテンツ鍵を暗号化するための固有鍵を記録する第１の記録媒体と、暗号化されたコンテンツおよび暗号化されたコンテンツ鍵を記録する第２の記録媒体からなる記録再生システムであって、前記再生部は、再生部固有の固有鍵を生成し、生成した固有鍵を記憶する固有鍵生成記憶手段と、前記第１の記録媒体の正当性を認証するとともに、前記第１の記録媒体に前記固有鍵を書き込む第１の認証手段と、前記第２の記憶媒体から暗号化されたコンテンツ鍵を読み出し、前記固有鍵を用いてコンテンツ鍵を復号化するコンテンツ鍵復号化手段と、前記第２の記録媒体から暗号化されたコンテンツを読み出し、前記コンテンツ鍵を用いてコンテンツを復号化するコンテンツ復号化手段とを有し、前記記録部は、コンテンツを暗号化するコンテンツ鍵を生成するコンテンツ鍵生成手段と、前記コンテンツ鍵を用いてコンテンツを暗号化し、前記第２の記録媒体に暗号化後のコンテンツを記録するコンテンツ暗号化手段と、前記第１の記録媒体の正当性を認証するとともに、前記第１の記録媒体に記録された固有鍵を読み出す第２の認証手段と、前記固有鍵を用いて前記コンテンツ鍵を暗号化し、前記第２の記録媒体に暗号化後のコンテンツ鍵を記録するコンテンツ鍵暗号化手段とを有し、前記第１の記録媒体は、前記記録部および前記再生部の正当性を認証するとともに、前記再生部および前記記録部との間で前記固有鍵の読み書きを行う第３の認証手段と、前記固有鍵を記録する記録手段とを有することを特徴とするものである。
【００３６】
また本発明の第２４の発明の記録再生システムは、第２３の発明において、固有鍵として、再生部のＩＤを使用することを特徴とするものである。
【００３７】
また本発明の第２５の発明の記録再生システムは、第２３の発明において、固有鍵として、固有鍵生成記憶手段にて発生させたランダム値を使用することを特徴とするものである。
【００３８】
また本発明の第２６の発明の記録再生システムは、第２３の発明において、再生部から第１の記録媒体への固定鍵の書き込み回数をあらかじめ決められた所定回数に制限することを特徴とするものである。
【００３９】
また本発明の第２７の発明の記録再生システムは、第２３の発明において、記録部は、第１の記録媒体から固定鍵を読み出した後、第１の記録媒体から前記固定鍵を消去することを特徴とするものである。
【００４０】
また本発明の第２８の発明の記録再生システムは、第２３の発明において、記録部は、第１の記録媒体から読み出した固有鍵を、再び第１の記録媒体に書き戻し、記録部に保管していた前記固有鍵を消去することを特徴とするものである。
【００４１】
また本発明の第２９の発明の記録再生システムは、第２６の発明において、再生部は、第１の記録媒体に記録されている固有鍵を消去した際は、第１の記録媒体への書き込み回数カウントを消去した固有鍵の個数分減算することを特徴とするものである。
【００４２】
また本発明の第３０の発明の記録再生システムは、第２３の発明において、記録部は、第１の記録媒体から読み出した固有鍵を記憶する固有鍵記憶手段を持つことを特徴とするものである。
【００４３】
また本発明の第３１の発明の記録再生システムは、第２３の発明において、第２の記録媒体は、光ディスク、光磁気ディスク、ハードディスク、半導体メモリの何れかであることを特徴とする請求項２３に記載の記録再生システム。
【００４４】
また本発明の第３２の発明の記録再生システムは、第２３の発明において、第１の記録媒体と第２の記録媒体は、１つの媒体として構成されていることを特徴とするものである。
【００４５】
また本発明の第３３の発明の記録再生システムは、第２３の発明において、第２の記録媒体に記録した暗号化後のコンテンツを、通信手段を用いて記録部から再生部に伝送することを特徴とするものである。
【００４６】
また本発明の第３４の発明の記録再生システムは、第２３の発明において、第２の記録媒体に記録する暗号化されたコンテンツ鍵を、対応する暗号化されたコンテンツファイルに組み込まれるように記録することを特徴とするものである。
【００４７】
また本発明の第３５の発明の記録再生システムは、第２３の発明において、複数の再生部に対応する複数の固有鍵でコンテンツ鍵を暗号化し、前記暗号化された複数のコンテンツ鍵を第２の記録媒体に記録することを特徴とするものである。
【００４８】
また本発明の第３６の発明の記録再生システムは、第２３の発明において、再生部は第３の記録媒体を持ち、第２の記録媒体に記録された暗号化されたコンテンツおよび暗号化されたコンテンツ鍵を複製して記録し、再生時には第３の記録媒体から再生したコンテンツおよびコンテンツ鍵を復号化して再生することを特徴とする請求項２３に記載の記録再生システム。
【発明の効果】
【００４９】
本発明により、著作権保護機能を持つ記録媒体は再生時に不要となり、可搬性の低い機器において、著作権保護を行いつつ、使用者の利便性のよい記録再生システムを提供することが出来る。
【発明を実施するための最良の形態】
【００５０】
以下、本発明の実施の形態について、図面を用いて説明する。
【００５１】
（実施の形態１）
図１は、本発明の実施の形態１による記録再生システムの構成を示すブロック図である。始めに、図１を参照しながら、本実施の形態の記録再生システムの構成について説明する。
【００５２】
図１に示すように、本実施の形態１における記録再生システムは、コンテンツ鍵を用いてデジタル形式のコンテンツを暗号化記録する記録部１０１と、コンテンツ鍵を用いて暗号化されたコンテンツを復号化し再生する再生部１１１と、コンテンツを暗号化するためのコンテンツ鍵を記録する記録媒体１２１と、暗号化されたコンテンツを記録する記録媒体１３１から構成される。
【００５３】
記録部１０１は、コンテンツを暗号化するコンテンツ鍵を生成するコンテンツ暗号鍵生成部１０４と、記録媒体１２１の正当性を認証するとともに、記録媒体１２１に前記コンテンツ鍵を書き込む認証部１０２と、前記コンテンツ鍵を用いてコンテンツを暗号化するとともに、記録媒体１３１に暗号化後のコンテンツを記録するコンテンツ暗号化部１０３から構成される。
【００５４】
また再生部１１１は、記録媒体１２１の正当性を認証するとともに、記録媒体１２１に記録されたコンテンツ鍵を読み出す認証部１１２と、前記コンテンツ鍵を記憶するコンテンツ鍵記憶部１１６と、記録媒体１３１から暗号化されたコンテンツを読み出し、前記コンテンツ鍵記憶部１１６に記憶されたコンテンツ鍵を用いてコンテンツを復号化するコンテンツ復号化部１１４から構成される。
【００５５】
記録媒体１２１は、記録部１０１および再生部１１１の正当性を認証するとともに、前記再生部１１１および前記記録部１０１との間で前記コンテンツ鍵の読み書きを行う認証部１２２と、前記コンテンツ鍵を記録する記録部１２３から構成される。つまり、記録媒体１２１は著作権保護機能を持つ記録媒体である。
【００５６】
次にその動作について説明する。記録するコンテンツは、コンテンツ暗号化部１０３において、コンテンツ鍵生成部１０４で生成されたコンテンツ鍵を用いて暗号化され、記録媒体１３１に記録される。一方、暗号化に使用したコンテンツ鍵は、認証部１０２を通じて記録媒体１２１に記録される。なお、記録媒体１２１にコンテンツ鍵を記録する前に、記録部１０１および記録媒体１２１がお互いに正当な機器であることを相互に認証しておく。
【００５７】
一方、再生部１１１では、まず記録媒体１２１とお互いに正当な機器であることを相互に認証し、その後に記録されているコンテンツ鍵を読み出し、コンテンツ鍵記憶部１１６に記憶しておく。そして記録媒体１３１から暗号化されたコンテンツを読み出し、コンテンツ復号化部１１４において、前記コンテンツ鍵記憶部１１６に記憶していたコンテンツ鍵を用いて復号化する。
【００５８】
このように、あらかじめコンテンツ鍵を再生部１１１に移動しているため、再生時には著作権保護機能を持つ記録媒体１２１は不要となる。
【００５９】
なお、記録部１０１のコンテンツ鍵生成部１０４で生成するコンテンツ鍵は、記録部１０１に固有のＩＤでも良いし、ランダム値を生成して使用しても良い。
【００６０】
また、記録部１０１から記録媒体１２１へのコンテンツ鍵の記録回数を、あらかじめ決められた回数に制限しても良い。
【００６１】
また、再生部１１１は、記録媒体１２１からコンテンツ鍵を読み出した後、記録媒体１２１からコンテンツ鍵を消去しても良い。
【００６２】
また、再生部１１１は、記録媒体１２１から読み出したコンテンツ鍵を再び記録媒体１２１に書き戻し、コンテンツ鍵記憶部１１６に記憶していたコンテンツ鍵を消去してもよい。
【００６３】
また、記録部１０１でコンテンツ鍵の記録回数を管理する際には、記憶媒体１２１に記録されているコンテンツ鍵を消去した場合は、コンテンツ鍵の記録回数を消去した個数分減算してもよい。
【００６４】
これらのようなコンテンツ鍵の管理を行うことで、著作権の制御が可能になる。
【００６５】
また、記録媒体１３１は、光ディスク、光磁気ディスク、ハードディスク、半導体メモリなど、コンテンツの受け渡しが行える媒体であれば何を用いても良い。
【００６６】
また、本実施の形態では記録媒体１２１と記録媒体１３１は別の媒体として説明したが、同じ機能を有していれば、一体の媒体であっても良い。
【００６７】
また、本実施の形態では、記録媒体１３１を通じて暗号化したコンテンツを記録部１０１から再生部１１１に受け渡しているが、通信を用いて受け渡しても良い。
【００６８】
また、再生部１１１に記録媒体を内蔵し、記録媒体１３１に記録してあるコンテンツを一旦前記の内蔵記録媒体に複製した後、前記内蔵記録媒体より読み出し、コンテンツ復号部１１４で復号化して再生しても良い。
【００６９】
（実施の形態２）
図２は、本発明の実施の形態２による記録再生システムの構成を示すブロック図である。始めに、図２を参照しながら、本実施の形態の記録再生システムの構成について説明する。
【００７０】
図２に示すように、本実施の形態２における記録再生システムは、コンテンツ鍵を用いてデジタル形式のコンテンツを暗号化記録する記録部２０１と、コンテンツ鍵を用いて暗号化されたコンテンツを復号化し再生する再生部２１１と、コンテンツを暗号化するためのコンテンツ鍵を記録する記録媒体１２１と、暗号化されたコンテンツを記録する記録媒体１３１から構成される。
【００７１】
再生部２１１は、コンテンツを暗号化するコンテンツ鍵を生成し、生成したコンテンツ鍵を記憶するコンテンツ鍵生成記憶部１１３と、記録媒体１２１の正当性を認証するとともに、記録媒体１２１に前記コンテンツ鍵を書き込む認証部１１２と、記録媒体１３１から暗号化されたコンテンツを読み出し、前記コンテンツ鍵を用いてコンテンツを復号化するコンテンツ復号化部１１４から構成される。
【００７２】
記録部２０１は、記録媒体１２１の正当性を認証するとともに、記録媒体１２１に記録されたコンテンツ鍵を読み出す認証部１０２と、前記コンテンツ鍵を用いてコンテンツを暗号化するとともに、記録媒体１３１に暗号化後のコンテンツを記録するコンテンツ暗号化部１０３から構成される。
【００７３】
記録媒体１２１は、記録部２０１および再生部２１１の正当性を認証するとともに、前記再生部２１１および前記記録部２０１との間で前記コンテンツ鍵の読み書きを行う認証部１２２と、前記コンテンツ鍵を記録する記録部１２３から構成される。つまり、記録媒体１２１は著作権保護機能を持つ記録媒体である。
【００７４】
次にその動作について説明する。まず再生部２１１のコンテンツ鍵生成記憶部１１３で、コンテンツの暗号化に使用するコンテンツ鍵を生成し、認証部１１２を通じて記録媒体１２１に記録される。なお、記録媒体１２１にコンテンツ鍵を記録する前に、再生部２１１および記録媒体１２１がお互いに正当な機器であることを相互に認証しておく。
【００７５】
記録するコンテンツは、記録部２０１のコンテンツ暗号化部１０３において、記録媒体１２１から読み出したコンテンツ鍵を用いて暗号化され、記録媒体１３１に記録される。なお、記録媒体１２１からコンテンツ鍵を読み出す前に、記録部２０１および記録媒体１２１がお互いに正当な機器であることを相互に認証しておく。
【００７６】
再生部２１１では、記録媒体１３１から暗号化されたコンテンツを読み出し、コンテンツ復号化部１１４において、コンテンツ鍵生成記憶部１１３に記憶していたコンテンツ鍵を用いて復号化する。
【００７７】
このように、コンテンツ鍵は再生部２１１で生成、記憶していたものであり、再生時には著作権保護機能を持つ記録媒体１２１は不要となる。
【００７８】
なお、再生部２１１のコンテンツ鍵生成記憶部１１３で生成するコンテンツ鍵は、再生部に固有のＩＤをでも良いし、ランダム値を生成して使用しても良い。
【００７９】
また、再生部２１１から記録媒体１２１へのコンテンツ鍵の記録回数を、あらかじめ決められた回数に制限しても良い。
【００８０】
また、記録部２０１は、記録媒体１２１からコンテンツ鍵を読み出した後、記録媒体１２１からコンテンツ鍵を消去しても良い。
【００８１】
また、記録部２０１は、記録媒体１２１から読み出したコンテンツ鍵を再び記録媒体１２１に書き戻し、記録部２０１に記憶していたコンテンツ鍵を消去してもよい。
【００８２】
また、再生部２１１は、記憶媒体１２１に記録されているコンテンツ鍵を消去した場合は、コンテンツ鍵の記録回数を消去した個数分減算してもよい。
【００８３】
これらのようなコンテンツ鍵の管理を行うことで、著作権の制御が可能になる。
【００８４】
また、記録媒体１３１は、光ディスク、光磁気ディスク、ハードディスク、半導体メモリなど、コンテンツの受け渡しが行える媒体であれば何を用いても良い。
【００８５】
また、本実施の形態では記録媒体１２１と記録媒体１３１は別の媒体として説明したが、同じ機能を有していれば、一体の媒体であっても良い。
【００８６】
また、本実施の形態では、暗号化したコンテンツを、記録媒体１３１を通じて記録部２０１から再生部２１１に受け渡しているが、通信を用いて受け渡しても良い。
【００８７】
また、再生部２１１に記録媒体を内蔵し、記録媒体１３１に記録してあるコンテンツを一旦前記の内蔵記録媒体に複製した後、前記内蔵記録媒体より読み出し、コンテンツ復号部１１４で復号化して再生しても良い。
【００８８】
（実施の形態３）
図３は、本発明の実施の形態３による記録再生システムの構成を示すブロック図である。始めに、図３を参照しながら、本実施の形態の記録再生システムの構成について説明する。
【００８９】
図３に示すように、本実施の形態３における記録再生システムは、デジタル形式のコンテンツを、コンテンツ鍵を用いて暗号化記録する記録部３０１と、暗号化されたコンテンツを、コンテンツ鍵を用いて復号化し再生する再生部３１１と、コンテンツ鍵を暗号化するための固有鍵を記録する記録媒体１２１と、暗号化されたコンテンツおよび暗号化されたコンテンツ鍵を記録する記録媒体１３１から構成される。
【００９０】
再生部３１１は、再生部３１１固有の固有鍵を生成し、生成した固有鍵を記憶する固有鍵生成記憶部１１３と、記録媒体１２１の正当性を認証するとともに、記録媒体１２１に前記固有鍵を書き込む認証部１１２と、記憶媒体１３１から暗号化されたコンテンツ鍵を読み出し、前記固有鍵を用いてコンテンツ鍵を復号化するコンテンツ鍵復号化部１１５と、記録媒体１１５から暗号化されたコンテンツを読み出し、前記コンテンツ鍵を用いてコンテンツを復号化するコンテンツ復号化部１１４とから構成される。
【００９１】
記録部３０１は、コンテンツを暗号化するコンテンツ鍵を生成するコンテンツ鍵生成部１０４と、前記コンテンツ鍵を用いてコンテンツを暗号化し、記録媒体１３１に暗号化後のコンテンツを記録するコンテンツ暗号化部１０３と、記録媒体１２１の正当性を認証するとともに、記録媒体１２１に記録された固有鍵を読み出す認証部１０２と、前記固有鍵を用いて前記コンテンツ鍵を暗号化し、記録媒体１３１に暗号化後のコンテンツ鍵を記録するコンテンツ鍵暗号化部１０５から構成される。
【００９２】
記録媒体１２１は、記録部３０１および再生部３１１の正当性を認証するとともに、前記再生部１１１および前記記録部３０１との間で前記コンテンツ鍵の読み書きを行う認証部１２２と、前記コンテンツ鍵を記録する記録部１２３から構成される。つまり、記録媒体１２１は著作権保護機能を持つ記録媒体である。
【００９３】
次にその動作について説明する。まず再生部３１１の固有鍵生成記憶部１１３で、コンテンツ鍵の暗号化に使用する固有鍵を生成し、認証部１１２を通じて記録媒体１２１に記録される。なお、記録媒体１２１にコンテンツ鍵を記録する前に、再生部３１１および記録媒体１２１がお互いに正当な機器であることを相互に認証しておく。
【００９４】
また、記録部３０１は、記録媒体１２１とお互いに正当な機器であることを相互に認証し、その後に記録されている固有鍵を読み出しておく。
【００９５】
記録するコンテンツは、コンテンツ暗号化部１０３において、コンテンツ鍵生成部１０４で生成されたコンテンツ鍵を用いて暗号化され、記録媒体１３１に記録される。また、前記コンテンツ鍵は、前記固有鍵を用いて暗号化され、記録媒体１３１に記録される。
【００９６】
再生部３１１では、まず記録媒体１３１から暗号化されているコンテンツ鍵を読み出し、コンテンツ鍵復号化部１１５でコンテンツ鍵を復号化する。そして、記録媒体１３１から暗号化されたコンテンツを読み出し、コンテンツ復号化部１１４において、前記復号化されたコンテンツ鍵で復号化する。
【００９７】
このように、あらかじめコンテンツ鍵を再生部３１１に移動しているため、再生時には著作権保護機能を持つ記録媒体１２１は不要となる。
【００９８】
なお、再生部３１１の固有鍵生成記憶部１１３で生成する固有鍵は、再生部３１１に固有のＩＤをでも良いし、ランダム値を生成して使用しても良い。
【００９９】
また、再生部３１１から記録媒体１２１への固有鍵の記録回数を、あらかじめ決められた回数に制限しても良い。
【０１００】
また、記録部３０１は、記録媒体１２１から固有鍵を読み出した後、記録媒体１２１からコンテンツ鍵を消去しても良い。
【０１０１】
また、記録部３０１は、記録媒体１２１から読み出した固有鍵を再び記録媒体１２１に書き戻し、記録部３０１に記憶していた固有鍵を消去してもよい。
【０１０２】
また、再生部３１１は、記憶媒体１２１に記録されている固有鍵を消去した場合は、固有鍵の記録回数を消去した個数分減算してもよい。
【０１０３】
これらのようなコンテンツ鍵の管理を行うことで、著作権の制御が可能になる。
【０１０４】
また、記録媒体１３１は、光ディスク、光磁気ディスク、ハードディスク、半導体メモリなど、コンテンツの受け渡しが行える媒体であれば何を用いても良い。
【０１０５】
また、本実施の形態では記録媒体１２１と記録媒体１３１は別の媒体として説明したが、同じ機能を有していれば、一体の媒体であっても良い。
【０１０６】
また、本実施の形態では、暗号化したコンテンツを、記録媒体１３１を通じて記録部３０１から再生部３１１に受け渡しているが、通信を用いて受け渡しても良い。
【０１０７】
また、記録媒体１３１に記録する暗号化されたコンテンツ鍵を、対応するコンテンツファイルに組み込まれるように記録しても良い。
【０１０８】
また、複数の再生部に対応するそれぞれの固有鍵でコンテンツ鍵を暗号化し、これらの暗号化されたそれぞれのコンテンツ鍵を記録媒体１３１に記録しても良い。
【０１０９】
また、再生部３１１に記録媒体を内蔵し、記録媒体１３１に記録してあるコンテンツおよびコンテンツ鍵を一旦前記の内蔵記録媒体に複製した後、前記内蔵記録媒体より読み出し、コンテンツ復号部１１４で復号化して再生しても良い。
【産業上の利用可能性】
【０１１０】
本発明にかかる記録再生システムは、記録部と再生部が物理的に分離した記録再生システムにおいて、著作権保護を行いつつコンテンツの記録再生を行う機器に有用である。
【図面の簡単な説明】
【０１１１】
【図１】本発明の実施の形態１における記録再生システムの構成を示すブロック図
【図２】同実施の形態２における記録再生システムの構成を示すブロック図
【図３】同実施の形態３における記録再生システムの構成を示すブロック図
【図４】従来の記録再生システムの構成を示すブロック図
【符号の説明】
【０１１２】
１０１    記録部
１０２    認証部
１０３    コンテンツ暗号化部
１０４    コンテンツ鍵生成部
１０５    コンテンツ鍵暗号化部
１１１    再生部
１１２    認証部
１１３    コンテンツ鍵生成記憶部
１１４    コンテンツ復号化部
１１５    コンテンツ鍵復号化部
１１６    コンテンツ鍵記憶部
１２１    記録媒体
１２２    記録部
１３１    記録媒体
【図１】
2006229277.tif 000003
【図２】
2006229277.tif 000004
【図３】
2006229277.tif 000005
【図４】
2006229277.tif 000006